(57)【要約】    【課題】  光ファイバーケーブルのコネクタプラグの保護キャップが結束手段を兼用するようにし、これによって別途結束具を用いないようにする。    【解決手段】  リング状をなすケーブル挿通部２８から引出されるように結束バンド４０を連設し、この結束バンド４０に係止孔４１を形成する。そして上記ケーブル挿通部２８の他端側には細条部４３を介して被係止用円板４２を連設し、さらにケーブル挿通部２８から側方に延びる連結部２７の先端部に保護キャップ２５を取付ける。保護キャップとして利用する場合には、ケーブル挿通部２８に光ファイバーケーブル１５を挿通させ、保護キャップ２５によってコネクタプラグ１６の先端部に装着して保護する。これに対して光ファイバーケーブル１５を束ねて結束する場合には、結束された光ファイバーケーブル１５を結束バンド４０で束ね、係止孔４１に被係止用円板４２を挿入して光ファイバーケーブル１５を結束された状態で固定して保持する。    【選択図】    図１３
2007041325.tif 000002
【特許請求の範囲】
【請求項１】
信号ケーブルの先端部に接続されたコネクタに装着する保護キャップにおいて、
弾性を有し、かつ柔軟性ある材料によって成形され、結束バンドを一体に連設したことを特徴とする保護キャップ。
【請求項２】
信号ケーブルが光ファイバーケーブルであって、該光ファイバーケーブルの先端部に接続された光コネクタに装着することを特徴とする請求項１に記載の保護キャップ。
【請求項３】
信号ケーブルを挿通させるリング状のケーブル挿通部を有し、該ケーブル挿通部によって信号ケーブルに取付けられることを特徴とする請求項１に記載の保護キャップ。
【請求項４】
前記結束バンドがこの保護キャップの本体部と前記ケーブル挿通部とを連結する連結部から構成され、前記本体部と前記ケーブル挿通部の内の一方に係止部が設けられるとともに、他方に被係止部が設けられることを特徴とする請求項３に記載の保護キャップ。
【請求項５】
前記結束バンドがこの保護キャップの本体部と前記ケーブル挿通部とを連結する連結部から構成され、前記連結部に係止部または被係止部が設けられるとともに、前記保護キャップの本体部が被係止部または係止部を兼用することを特徴とする請求項３に記載の保護キャップ。
【請求項６】
前記結束バンドがこの保護キャップの本体部と前記ケーブル挿通部とを連結する連結部から構成され、前記連結部に係止部または被係止部が設けられるとともに、該係止部または被係止部が前記ケーブル挿通部に連設された被係止部または係止部に係止されることを特徴とする請求項３に記載の保護キャップ。
【請求項７】
前記結束バンドが前記ケーブル挿通部に連設され、該結束バンドに係止部または被係止部が設けられるとともに、前記ケーブル挿通部に連設された被係止部または係止部が前記結束バンドの係止部または被係止部に係止されることを特徴とする請求項３に記載の保護キャップ。
【請求項８】
一対の互いにほぼ平行なスリットによってケーブル挿通部が形成され、該ケーブル挿通部に前記結束バンドが連設され、該結束バンドに設けられた被係止部または係止部が前記ケーブル挿通部に設けられた係止部または被係止部と係合されることを特徴とする請求項１に記載の保護キャップ。
【発明の詳細な説明】
【技術分野】
【０００１】
本発明は保護キャップに係り、とくに信号ケーブルの先端部に接続されたコネクタに装着する保護キャップに関する。
【背景技術】
【０００２】
複数の装置あるいはデバイス間における信号の授受のために、信号ケーブルや光ファイバーケーブルが用いられる。光ファイバーケーブルを用いる場合には、それぞれの装置あるいはデバイスに設けられたジャックに光ファイバーケーブルのコネクタプラグを挿入して接続し、上記光ファイバーケーブルを介して信号を光の強度の変化として送信するようにしている。
【０００３】
このような光ファイバーケーブル１を供給する場合には、図２０に示すような形態で供給される。すなわち光ファイバーケーブル１は束ねられた状態で供給されるようになっている。ここで光ファイバーケーブル１の先端側には、コネクタプラグ２が接続されている。これらのコネクタプラグ２の先端側に、それぞれ保護キャップを取付けるようにしている。保護キャップ３は連結部４を介してケーブル挿通部５に連結され、ケーブル挿通部５に光ファイバーケーブル１が挿通され、これによってこの光ファイバーケーブル１に取付けられるようになっている。
【０００４】
図２１は上記の光ファイバーケーブル１のコネクタプラグ２を保護する保護キャップ３の構成を拡大して示したものであって、保護キャップ３は連結部４を介してケーブル挿通部５に一体的に連結されている。しかも光ファイバーケーブル１は、結束タイ６によって結束されるようになっている。
【０００５】
このように光ファイバーケーブル１には、そのコネクタプラグ２の先端部に防塵キャップ３を着脱可能に取付けるようにしている。これは購入後にこの光ファイバーケーブル１を長期に亙って使用しないときに、プラグ２の先端部を塵から守るためのものである。なお梱包状態では、保護キャップ３を取付けているのが通常であるが、半透明の保護キャップ３を被せているために、このコネクタプラグ２の先端部が隠れることになる。そこで販売時においては、上記保護キャップ３を取外すようにし、これによって商品がきれいに見えるようにしている。
【０００６】
一方で光ファイバーケーブル１のケーブルの部分については、結束タイ６等の結束バンドを用いて束ねた状態で保持している。結束タイ６は、針金を内部に埋設した樹脂シーとから構成され、内部の金属の塑性変形によって結合状態で固定している。
【０００７】
あるいはまた図２０に示すような結束タイ６に代えて、実公昭５２−４８４００号公報や、実公昭６１−３３３４２号公報に開示されるように、合成樹脂成形体から成る結束バンドを用いるようにし、これによって束ねた状態で光ファイバーケーブル１をより確実に保持するようにしている。
【０００８】
保護キャップ３については、通常光ファイバーケーブル１から取外されることはないが、結束タイ６や結束バンドについては、ケーブル挿通後に廃棄されることが多い。従ってこれにより、廃棄物を発生する。また保護キャップ３以外に結束タイ６を必要とするために、光ファイバーケーブル１を供給するコストが増大する。
【特許文献１】実公昭５２−４８４００号公報
【特許文献２】実公昭６１−３３３４２号公報
【発明の開示】
【発明が解決しようとする課題】
【０００９】
本願発明の課題は、ケーブルの結束手段を別途必要としないようにした保護キャップを提供することである。
【００１０】
本願発明の別の課題は、ケーブルを供給するときにおける梱包の工数の削減を図るようにした保護キャップを提供することである。
【００１１】
本願発明のさらに別の課題は、購入後において結束部材を廃棄することがないようにした保護キャップを提供することである。
【００１２】
本願発明のさらに別の課題は、結束具として用いたときに、より確実にケーブルを結束できるようにした保護キャップを提供することである。
【００１３】
本願発明のさらに別の課題は、先端部をきれいにして展示することができる保護キャップを提供することである。
【００１４】
本願発明の上記の課題および別の課題は、以下に述べる本願発明の技術的思想、およびその実施の形態によって明らかにされよう。
【課題を解決するための手段】
【００１５】
本願の主要な発明は、信号ケーブルの先端部に接続されたコネクタに装着する保護キャップにおいて、
弾性を有し、かつ柔軟性ある材料によって成形され、結束バンドを一体に連設したことを特徴とする保護キャップに関するものである。
【００１６】
ここで、信号ケーブルが光ファイバーケーブルであって、該光ファイバーケーブルの先端部に接続された光コネクタに装着するようにしてよい。また信号ケーブルを挿通させるリング状のケーブル挿通部を有し、該ケーブル挿通部によって信号ケーブルに取付けられてよい。また前記結束バンドがこの保護キャップの本体部と前記ケーブル挿通部とを連結する連結部から構成され、前記本体部と前記ケーブル挿通部の内の一方に係止部が設けられるとともに、他方に被係止部が設けられてよい。また前記結束バンドがこの保護キャップの本体部と前記ケーブル挿通部とを連結する連結部から構成され、前記連結部に係止部または被係止部が設けられるとともに、前記保護キャップの本体部が被係止部または係止部を兼用するようにしてよい。また前記結束バンドがこの保護キャップの本体部と前記ケーブル挿通部とを連結する連結部から構成され、前記連結部に係止部または被係止部が設けられるとともに、該係止部または被係止部が前記ケーブル挿通部に連設された被係止部または係止部に係止されてよい。また前記結束バンドが前記ケーブル挿通部に連設され、該結束バンドに係止部または被係止部が設けられるとともに、前記ケーブル挿通部に連設された被係止部または係止部が前記結束バンドの係止部または被係止部に係止されてよい。また一対の互いにほぼ平行なスリットによってケーブル挿通部が形成され、該ケーブル挿通部に前記結束バンドが連設され、該結束バンドに設けられた被係止部または係止部が前記ケーブル挿通部に設けられた係止部または被係止部と係合されてよい。
【００１７】
本願発明の好ましい態様は、結束バンドの機能を持たせる構造を有し、先端部に凹形状または凸形状を有し、基端側には凸形状または凹形状を有し、キャップの先端とキャップの基端側との凹形状と凸形状との係合が可能な防塵キャップに関するものである。
【００１８】
このような態様によると、結束タイ等の結束バンドを別途必要としないために、その分コストの低減を図ることができる。またファイバーケーブルの梱包時に、保護キャップの取付けと結束具の取付けの２つの工数を必要とせず、保護キャップのみを取付けることが可能になり、工数あるいはコストが低減される。また結束具を用いないために、この結束具を捨てることがなく、これによって廃棄物の発生が防止される。また保護キャップをプラグの先端に被せないで結束具として用いた場合には、先端部をきれいに露出させて商品の販売を行なうことができ、これによって販売促進につながる。
【発明の効果】
【００１９】
本願の主要な発明は、信号ケーブルの先端部に接続されたコネクタに装着する保護キャップにおいて、弾性を有し、かつ柔軟性ある材料によって成形され、結束バンドを一体に連設したものである。
【００２０】
従ってこのような保護キャップによると、この保護キャップが結束バンドを兼用することになり、別途結束バンドを用意することなく信号ケーブルを揃えて束ねることが可能になる。従って信号ケーブルに付属する部品点数を削減し、さらには梱包時の結束バンドの取付け工数を削減して組立てコストを低減することが可能になる。また信号ケーブルの購入後に結束具を捨てることがなくなり、これによって廃棄物の発生が防止される。
【発明を実施するための最良の形態】
【００２１】
以下本願発明を図示の実施の形態によって説明する。図１は本実施の形態に係る光ファイバーケーブルの使用状態を示すものであって、例えばシステムステレオにおけるオーディオアンプ１１とラジオチューナ１２とは、それぞれが電源コード１３を備え、これらの電源コード１３によって、商用電源で駆動されるようになっている。しかもオーディオアンプ１１とラジオチューナ１２とは互いに、光ファイバーケーブル１５によって接続されている。光ファイバーケーブル１５はその両端にコネクタプラグ１６を備えており、これらのコネクタプラグ１６がオーディオアンプ１１およびラジオチューナ１２に接続されたジャック１７と接続されるようになっている。
【００２２】
図２はとくに光ファイバーケーブル１５の先端部に取付けられるコネクタプラグ１６の構造を示している。芯線を構成する光ファイバ２０は、例えば透明な合成樹脂のロッドから構成され、この光ファイバ２０が不透明な絶縁被覆２１によって被覆されるとともに、この光ファイバ２０の先端側の部分にコネクタプラグ１６が取付けられる。コネクタプラグ１６はその先端側に突出した先端側保持部２３を備え、この先端側保持部２３に上記光ファイバ２０が挿通される。上記先端側保持部２３の外周部には保持溝２４が形成され、これらの保持溝２４に保護キャップ２５が装着されるようになっている。
【００２３】
このような光ファイバーケーブル１５は、保護キャップ２５を取外した状態で、図１に示すようにその先端側のコネクタプラグ１６がジャック１７に挿入されて接続されるようになっており、これによって光ファイバーケーブル１５を介して、例えばラジオチューナ１２からオーディオアンプ１１に対して信号が供給される。なおここでの信号の供給は、ラジオチューナ１２内における出力信号を、光の強度の変化に変換し、これを光ファイバーケーブル１５の光ファイバ２０を通してオーディオアンプ１１側に供給するようにしている。
【００２４】
図３は、このような光ファイバーケーブル１５を梱包して供給する状態を示している。光ファイバーケーブル１５は円弧状に丸められた状態で、上記保護キャップ２５の連結部２７の部分で結束されるようになっている。
【００２５】
図４はこのような保護キャップ２５の構造を示している。すなわち保護キャップ２５は連結部２７の先端側の部分に連設されるとともに、連結部２７の反対側の部分にはケーブル挿通部２８が連設されている。そして図４Ｂに示すように、保護キャップ２５の側部には凹部から成る係止部３１が連設されている。これに対して反対側のケーブル挿通部２８の側部には、凸部から成る被係止部３２が形成されている。係止部３１と被係止部３２とは、図５に示すように互いに係合され、係止部３１が被係止部３２を係止するようになっている。従って連結部２７の両端が互いに結合されるようになり、これによって保護キャップ２５が結束手段を構成することになる。従ってこのような連結部２７を結束手段とすることにより、図３に示すように、光ファイバーケーブル１５を束ねた状態で結束することが可能になる。
【００２６】
一方この保護キャップ２５は図６に示すように、本来の態様で使用することができる。すなわち保護キャップ２５の先端部を、コネクタプラグ１６の先端部に装着すればよい。このときにケーブル挿通部２８は光ファイバーケーブル１５のとくにコネクタプラグ１６との接続部の根元部分に連結されることになる。
【００２７】
次に別の実施の形態を図７〜図１０によって説明する。この実施の形態は、連結部２７の一端に保護キャップ２５を連設するとともに、他端側にケーブル挿通部２８を連設し、さらに図８に示すように、連結部２７の中間位置に複数の保護キャップ２５を設けるようにし、これらの保護キャップ２５の背面側の部分に被係止用突部３５を形成している。これらの被係止用突部３５は、この被係止用突部３５が形成されている保護キャップ２５とは異なる保護キャップ２５の内側に挿入係止されるようになっている。
【００２８】
この保護キャップ２５を本来の目的に使用する場合には、図７に示すように、連結部２７の先端側の保護キャップ２５を光ファイバーケーブル１５のコネクタプラグ１６の先端部に装着する。これに対してこの保護キャップ２５を結束手段として用いる場合には、図９および図１０に示すように、連結部２７によって束ねた光ファイバーケーブル１５を結束した状態で、先端側の保護キャップ２５を連結部２７の他の保護キャップ２５の背面側の被係止用突部３５と係合させる。これによって連結部２７による結束状態が維持されることになる。
【００２９】
次にさらに別の実施の形態を図１１および図１２によって説明する。この実施の形態は、リボン状をなす連結部２７の先端部の表面に保護キャップ２５を一体に連設するとともに、この連結部２７の反対側の部分にケーブル挿通部２８を形成する。そして連結部２７の中間位置には複数の円形孔から成る係止孔３７を設けておくようにする。そして上記ケーブル挿通部２８に対して連結部２７とは反対側の部分に形成された突片３６の被係止用突部３５を上記係止孔３７に図１２Ｂに示すように挿入して係止することにより、結束バンドとして用いる。
【００３０】
このような保護キャップによると、ケーブル挿通部２８に光ファイバーケーブル１５を挿通した状態で、連結部２７の先端側の保護キャップ２５をコネクタプラグ１６の先端側の部分に嵌合させて取付けることにより、保護キャップ２５がそれ自身の機能を発揮する。
【００３１】
これに対して連結部２７によって束ねた光ファイバーケーブル１５を結束保持し、しかも突片３６の先端側の被係止用突部３５を連結部２７の係止孔３７に挿入係止することによって、このバンドを結束具として用いることが可能になる。
【００３２】
次にさらに別の実施の形態を、図１３〜図１５によって説明する。この実施の形態は、リング状をなすケーブル挿通部２８にリボン状の結束バンド４０が一体に連設されている。結束バンド４０にはスリット状の係止孔４１が連設されている。一方ケーブル挿通部２８の反対側の部分には被係止用円板４２が細条部４３を介して連設されている。さらに上記ケーブル挿通部２８に対して側方に延びるように連結部２７が形成され、この連結部２７の先端部に保護キャップ２５が設けられている。
【００３３】
従ってこの保護キャップ２５を本来の目的で使用する場合には、ケーブル挿通部２８に光ファイバーケーブル１５を挿通させ、しかも保護キャップ２５を上記光ファイバーケーブル１５の先端側のコネクタプラグ１６に装着すればよい。これに対して結束具として用いる場合には、図１５に示すように、結束バンド４０によって丸めた光ファイバーケーブル１５を結束し、しかも細条部４３の先端側の被係止用円板４２を結束バンド４０の係止孔４１内に挿入すればよい。ここで被係止用円板４２の向きと結束バンド４０の係止孔４１の向きが互いに直交するために（図１４参照）、細条部４３を９０度ひねって被係止用円板４２を９０度角度を変えた状態で係止孔４１に挿入することになる。従ってこのときの細条部４３の捩じりによる弾性復元力によって、被係止用円板４２が係止孔４１に確実に係止されることになる。
【００３４】
次にさらに別の実施の形態を、図１６および図１７によって説明する。この実施の形態は、光ファイバーケーブル１５を挿通させるリング状部２８の一端側に紐状の結束バンド４０を連設する。結束バンド４０には複数の、例えば４個の突部４５が一体に連設されている。これに対してケーブル挿通部２８の他端側の部分には、円板状突部４６が連設され、この円板状突部４６のほぼ中央部に十字孔４７が形成されている。また上記ケーブル挿通部２８の側部には連結部２７を介して保護キャップ２５が連設される。
【００３５】
従ってこのような構成によれば、ケーブル挿通部２８に光ファイバーケーブル１５を挿通させ、連結部２７を湾曲させて保護キャップ２５を光ファイバーケーブル１５の先端側のコネクタプラグ１６に装着することによって、この保護キャップ２５によってコネクタプラグ１６の先端部を保護することが可能になる。
【００３６】
これに対して、この保護キャップ２５を結束手段として用いる場合には、結束バンド４０の部分で束ねた光ファイバーケーブル１５を結束し、しかも結束バンド４０の突部４５を円板状突部４６の十字孔４７に挿通係止させればよい。これによって束ねられた光ファイバーケーブル１５を安定に結束できるようになる。
【００３７】
次にさらに別の実施の形態を図１８および図１９によって説明する。この実施の形態は、幅広の帯状部から成る主体部４９に一対のスリット５０を互いにほぼ平行に形成し、これらのスリット５０によって光ファイバーケーブル１５の挿通部を設けるようにしている。そして上記主体部４９から一端側に延びるように結束バンド４０が連設され、これらの結束バンド４０には複数の係止孔４１が形成される。また主体部４９の結束バンド４０とは反対側の端部には係止孔５１が形成され、この係止孔５１には内側に突出するように係止爪５２が形成される。この係止爪５２が上記結束バンド４０の係止孔４１に係止されるようになっている。しかも主体部４９には側方に延びるように連結部２７が形成され、この連結部２７に保護キャップ２５が形成されるようになっている。
【００３８】
従って上記主体部４９の一対のスリット５０によって主体部４９に光ファイバーケーブル１５を挿通させる。そしてこのような状態で、上記主体部４９から側方に延びるように連設された連結部２７の先端側の保護キャップ２５を光ファイバーケーブル１５のコネクタプラグ１６の先端部に装着することによって、コネクタプラグ１６の先端部の保護が図られる。
【００３９】
一方光ファイバーケーブル１５の結束手段として用いる場合には、丸められた光ファイバーケーブル１５を結束バンド４０の部分で結束し、この結束バンド４０の先端部を主体部４９の反対側の端部の係止孔５１内に挿入し、この係止孔５１内に突出する係止爪５２を結束バンド４０の係止孔４１によって係止すればよい。これによって束ねられた光ファイバーケーブル１５が安定に押さえられるようになる。
【００４０】
以上本願発明を図示の実施の形態によって説明したが、本願発明は上記実施の形態によって限定されることなく、本願に含まれる発明の技術的思想の範囲内において各種の変更が可能である。例えば上記実施の形態における結束手段を兼用する保護キャップの具体的な構造や寸法等については、使用する光ファイバーケーブルの太さや長さに応じてその形状や寸法を自由に設計変更することが可能である。また結束手段を構成する保護キャップの成形材料についても、各種の合成樹脂材料を用いることができ、必ずしも特定の材料に限定されることはない。
【産業上の利用可能性】
【００４１】
本願発明は、装置あるいはデバイス間の信号の授受に用いられる光ファイバーケーブルが保護キャップ兼結束具として広く利用可能である。
【図面の簡単な説明】
【００４２】
【図１】光ファイバーケーブルの使用状態を示すコンポーネントステレオの要部斜視図である。
【図２】同光ファイバーケーブルのコネクタプラグの部分の要部拡大縦断面図である。
【図３】光ファイバーケーブルを結束した状態の平面図である。
【図４】光ファイバーケーブルの保護キャップ兼結束具を示す断面図および平面図である。
【図５】保護キャップを結束具として用いたときの平面図である。
【図６】保護キャップによってコネクタプラグの先端部を保護している状態を示す正面図である。
【図７】別の実施の形態の保護キャップの取付けを示す光ファイバーケーブルの正面図である。
【図８】保護キャップの側面図である。
【図９】保護キャップを兼ねる結束具によって結束された光ファイバーケーブルの販売時の状態を示す要部斜視図である。
【図１０】この保護キャップを結束具として用いたときの結束状態の要部斜視図である。
【図１１】さらに別の実施の形態の保護キャップ兼結束具の要部斜視図である。
【図１２】同保護キャップ兼結束具の側面図である。
【図１３】さらに別の実施の形態の保護キャップ兼結束具の要部斜視図である。
【図１４】同保護キャップ兼結束具の正面図および側面図である。
【図１５】結束状態の保護キャップ兼結束具の要部斜視図である。
【図１６】さらに別の実施の形態の保護キャップ兼結束具の外観斜視図である。
【図１７】同保護キャップ兼結束具の平面図および側面図である。
【図１８】さらに別の実施の形態の保護キャップ兼結束具の要部斜視図である。
【図１９】同保護キャップ兼結束具の平面図および側面図である。
【図２０】従来の光ファイバーケーブルの結束状態を示す側面図である。
【図２１】同光ファイバーケーブルに用いられている保護キャップの縦断面図および平面図である。
【符号の説明】
【００４３】
１…光ファイバーケーブル、２…コネクタプラグ、３…保護キャップ、４…連結部、５…ケーブル挿通部、６…結束タイ、１１…オーディオアンプ、１２…ラジオチューナ、１３…電源コード、１５…光ファイバーケーブル、１６…コネクタプラグ、１７…ジャック、２０…光ファイバ、２１…絶縁被覆、２３…先端側保持部、２４…保持溝、２５…保護キャップ、２７…連結部、２８…ケーブル挿通部、３１…係止部、３２…被係止部、３５…被係止用突部、３６…突片、３７…係止孔、４０…結束バンド、４１…係止孔、４２…被係止用円板、４３…細条部、４５…突部、４６…円板状突部、４７…十字孔、４９…主体部、５０…スリット、５１…係止孔、５２…係止爪
【図１】
2007041325.tif 000003
【図２】
2007041325.tif 000004
【図３】
2007041325.tif 000005
【図４】
2007041325.tif 000006
【図５】
2007041325.tif 000007
【図６】
2007041325.tif 000008
【図７】
2007041325.tif 000009
【図８】
2007041325.tif 000010
【図９】
2007041325.tif 000011
【図１０】
2007041325.tif 000012
【図１１】
2007041325.tif 000013
【図１２】
2007041325.tif 000014
【図１３】
2007041325.tif 000015
【図１４】
2007041325.tif 000016
【図１５】
2007041325.tif 000017
【図１６】
2007041325.tif 000018
【図１７】
2007041325.tif 000019
【図１８】
2007041325.tif 000020
【図１９】
2007041325.tif 000021
【図２０】
2007041325.tif 000022
【図２１】
2007041325.tif 000023